(57)【要約】【課題】曲の頭出しの際にユーザにとって快適な状況を得ることができるディスク再生装置を提供する。【解決手段】曲頭への頭出し操作がされた場合に、ディスクに記録された目的の曲の曲頭への頭出し制御を行う頭出し制御部と、前記頭出し制御部による頭出し制御が完了するまでの間、前記操作がされたときに再生されていた曲の再生を継続させる再生部と、を備えるディスク再生装置とする。【選択図】図１
2013120611.tif 000002
【特許請求の範囲】
【請求項１】
曲頭への頭出し操作がされた場合に、ディスクに記録された目的の曲の曲頭への頭出し制御を行う頭出し制御部と、
前記頭出し制御部による頭出し制御が完了するまでの間、前記操作がされたときに再生されていた曲の再生を継続させる再生部と、を備えることを特徴とするディスク再生装置。
【請求項２】
前記再生部は、通常音量より小さい音量で再生を継続させることを特徴とする請求項１に記載のディスク再生装置。
【請求項３】
前記再生部は、前記操作がされたときに前記ディスクから読み出されて記憶部に蓄積されている音声データを再生させることで再生を継続させることを特徴とする請求項１または請求項２に記載のディスク再生装置。
【請求項４】
車載用であることを特徴とする請求項１〜請求項３のいずれかに記載のディスク再生装置。
【発明の詳細な説明】
【技術分野】
【０００１】
本発明は、ディスク再生装置に関する。
【背景技術】
【０００２】
従来から、磁気テープ、光ディスク（ＣＤ、ＤＶＤ等）などの記録媒体に記録された音声データを再生可能な再生装置が種々開発されている。このような再生装置では、曲の頭出しを自動的に行えるものが一般的である。例えば、磁気テープでの曲の頭出しについての発明は特許文献１、２等に開示されている。
【０００３】
従来のＣＤ再生装置は、音声データの再生中にテンキー等の操作によって目的の曲の頭出しを行う機能を有しているが、頭出しの制御が完了するまでは無音であった。
【先行技術文献】
【特許文献】
【０００４】
【特許文献１】特開平５−１３５４９４号公報
【特許文献２】特開平７−２８７８９７号公報
【発明の概要】
【発明が解決しようとする課題】
【０００５】
しかしながら、上記従来のＣＤ再生装置では、ディスクに傷が付いていたり、ディスクが偏芯している等で頭出しの制御に長い時間がかかってしまう場合、無音時間が長くなってしまった。従って、ユーザにとって快適であるとは言えなかった。
【０００６】
上記問題点に鑑み、本発明は、曲の頭出しの際にユーザにとって快適な状況を得ることができるディスク再生装置を提供することを目的とする。
【課題を解決するための手段】
【０００７】
上記目的を達成するために本発明のディスク再生装置は、
曲頭への頭出し操作がされた場合に、ディスクに記録された目的の曲の曲頭への頭出し制御を行う頭出し制御部と、
前記頭出し制御部による頭出し制御が完了するまでの間、前記操作がされたときに再生されていた曲の再生を継続させる再生部と、を備える構成とする。
【０００８】
このような構成によれば、何らかの原因により頭出し制御が完了するまでに長い時間を要する場合でも、頭出し操作がされたときに再生されていた曲の再生が継続されるので、無音状態が長く続くことを回避できる。従って、ユーザにとって快適な状況を得ることができる。
【０００９】
また、上記構成において、前記再生部は、通常音量より小さい音量で再生を継続させる構成としてもよい。
【００１０】
このような構成によれば、頭出し制御が行われていることがユーザにとって分かり易くなる。
【００１１】
また、上記いずれかの構成において、前記再生部は、前記操作がされたときに前記ディスクから読み出されて記憶部に蓄積されている音声データを再生させることで再生を継続させる構成としてもよい。
【００１２】
また、上記いずれかの構成のディスク再生装置は、車載用としてもよい。
【００１３】
車両は振動が大きいため、頭出し制御が完了するまでに長い時間を要する場合があるが、そのような場合でもユーザにとって快適な状況を得ることができる。
【発明の効果】
【００１４】
本発明のディスク再生装置によれば、曲の頭出しの際にユーザにとって快適な状況を得ることができる。
【図面の簡単な説明】
【００１５】
【図１】本発明の一実施形態に係るＣＤ再生装置のブロック構成図である。
【図２】本発明の一実施形態に係る頭出し動作に関するフローチャートである。
【発明を実施するための形態】
【００１６】
以下に本発明の一実施形態について図面を参照して説明する。ここでは、ディスク再生装置の一例として、音楽用ＣＤ（ＣＤ−ＤＡ（Compact Disc Digital Audio））を再生可能なＣＤ再生装置を挙げて説明する。
【００１７】
本発明の一実施形態に係るＣＤ再生装置２０のブロック構成図を図１に示す。図１に示すＣＤ再生装置２０は、光ピックアップ１と、スピンドルモータ２と、送り機構３と、ＲＦアンプ４と、サーボ回路５と、信号処理部６と、メモリ制御部７と、メモリ８と、Ｄ／Ａコンバータ９と、アッテネータ１０と、マイクロコンピュータ１１と、表示部１２と、キー操作部１３を備えている。
【００１８】
光ピックアップ１は、対物レンズ、ＬＤ（レーザダイオード）及び各種光学部品（いずれも不図示）を有しており、対物レンズからレーザをＣＤであるディスク３０の記録トラックに照射し、ディスク３０に記録されたデータを電気信号としてＲＦアンプ４に出力する。また、光ピックアップ１は、対物レンズをディスク３０の半径方向及び垂直方向に駆動させるアクチュエータ（不図示）も有している。
【００１９】
スピンドルモータ２は、ディスク３０を回転駆動するモータである。送り機構３は、光ピックアップ１をディスク３０の半径方向に駆動する機構であり、スレッドモータ（不図示）などを有している。
【００２０】
ＲＦアンプ４は、光ピックアップ１から出力される電気信号に基づいてＲＦ（Radio Frequency）信号を生成して出力する。また、ＲＦアンプ４は、光ピックアップ１から出力される電気信号に基づき、光ピックアップ１から出力されるレーザの焦点ずれを示すフォーカスエラー信号やレーザ照射位置と記録トラックとの位置ずれを示すトラッキングエラー信号を生成する。
【００２１】
サーボ回路５は、ＲＦアンプ４から出力されるエラー信号に基づいて、光ピックアップ１から出力されるレーザの焦点や照射位置を補正するための制御（いわゆるフォーカス制御及びトラッキング制御）を行う。また、サーボ回路５は、スピンドルモータ２及び送り機構３の駆動制御も行う。
【００２２】
信号処理部６は、ＲＦアンプ４から出力されるＲＦ信号を２値化してＥＦＭ変調された信号を生成し、この信号をＥＦＭ復調することでフレームを生成する。さらに、信号処理部６は、生成されたフレームに対して誤り訂正処理を施すことで音声データを生成し、メモリ制御部７に出力する。
【００２３】
また、信号処理部６は、ＥＦＭ復調により生成される９８個のフレームのサブコード部からサブコードフレームを生成する。
【００２４】
メモリ制御部７は、信号処理部６から出力される音声データをメモリ８に一旦蓄積させ、メモリ８に蓄積された音声データを適切なタイミングで読み出してＤ／Ａコンバータ９に出力する。メモリ８は、振動による音飛びを回避するために設けられる記憶装置であり、ショックプルーフメモリと呼ばれる。
【００２５】
Ｄ／Ａコンバータ９は、メモリ制御部７から出力される音声データをＤ／Ａ変換し、アナログ音声信号をアッテネータ１０に出力する。アッテネータ１０は、Ｄ／Ａコンバータ９から出力されるアナログ音声信号を所定のゲインで減衰させ、後段に接続されるアンプ（不図示）に出力する。アンプに出力された音声信号は、アンプで増幅された後、スピーカ（不図示）により音声に変換される。
【００２６】
マイクロコンピュータ１１は、ＣＤ再生装置２０の各部を制御する制御装置であり、制御プログラムを実行することで各種制御を行う。
【００２７】
表示部１２は、再生中の曲番号や再生経過時間等の各種情報を表示し、例えばＬＣＤ（Liquid Crystal Display）で構成される。
【００２８】
キー操作部１３は、再生キー、停止キーを始め、指定された曲番号へ頭出しするためのテンキー、現在の再生曲の次の曲へ頭出しするためのFwd Skipキー及び現在の再生曲の曲頭へ頭出しするためのBack Skipキー等の各種キーから構成される。
【００２９】
次に、以上のような構成であるＣＤ再生装置２０における曲の頭出し動作について図２に示すフローチャートを用いて説明する。
【００３０】
まず、メモリ８に蓄積された音声データをメモリ制御部７が適切なタイミングで順次読み出してＤ／Ａコンバータ９及びアッテネータ１０を介して外部のアンプ（不図示）へ出力し、外部のスピーカ（不図示）から或る曲が再生されているものとする。このとき、アッテネータ１０はマイクロコンピュータ１１の制御により通常音量となるようなゲインに設定されている。
【００３１】
このような再生状態でキー操作部１３におけるテンキー、Fwd Skipキー或いはBack Skipキーが押下げ操作されると、図２のフローチャートが開始される。
【００３２】
図２のフローチャートが開始されると、まずステップＳ１で、マイクロコンピュータ１１により通常音量の1/2の音量となるようなゲインにアッテネータ１０のゲインが設定され、メモリ制御部７は現在メモリ８に蓄積されている音声データを順次読み出してＤ／Ａコンバータ９及びアッテネータ１０を介して外部のアンプに出力することを開始する。これにより、現在再生中の曲の音声が通常音量の1/2の音量でスピーカから再生開始される。なお、ここでは通常音量の1/2としているが、これに限ることなく、通常音量より小さくなる割合とすればよい。
【００３３】
次に、ステップＳ２に進み、曲の頭出し制御が開始される。頭出し制御について具体的に説明すれば例えば次のようになる。まず、マイクロコンピュータ１１は、現在検出されているサブコードのデータと、目的の曲の曲頭に対応するトラック位置よりジャンプすべきトラック数を算出する。なお、目的の曲とは、テンキーの場合は操作されたキーの番号の曲であり、Fwd Skipキーの場合は操作された時点の再生曲の次の曲であり、Back Skip
キーの場合は操作された時点の再生曲である。
【００３４】
そして、サーボ回路５は、トラッキング制御をオフとし（フォーカス制御はオンのまま）、送り機構３を駆動させて光ピックアップ１をディスク３０の半径方向へ移動させる。このとき、サーボ回路５は、ＲＦアンプ４から出力されるトラッキングエラー信号をカウントすることでトラック数をカウントし、カウントされたトラック数が上記で算出されたジャンプすべきトラック数に達したときに光ピックアップ１の移動を停止させトラッキングサーボをオンとする。ここでマイクロコンピュータ１１は、サブコードのデータを読み、目的のトラックとの差を算出する。そして、サーボ回路５は、算出されたトラックの差だけ光ピックアップ１の対物レンズをアクチュエータ（不図示）により移動させ、目的のトラックでトラッキングサーボをオンとする。これにより、頭出し制御は完了する。
【００３５】
ステップ２で頭出し制御を開始後、頭出し制御が完了しない間は（ステップＳ３のＮ）、メモリ８に蓄積された音声データが通常音量の1/2の音量で再生され、頭出し制御が完了とすると（ステップＳ３のＹ）、ステップＳ４に進む。ステップＳ４では、マイクロコンピュータ１１からの指令によりメモリ制御部７は、メモリ８に蓄積された全ての音声データをクリアする。
【００３６】
そして、ステップＳ５では、マイクロコンピュータ１１によりアッテネータ１０のゲインが通常音量となるようなゲインに設定され、メモリ制御部７によりメモリ８に蓄積された音声データをメモリ制御部７が順次読み出してＤ／Ａコンバータ９及びアッテネータ１０を介して外部のアンプに出力することを開始する。これにより、頭出しした曲の音声が通常音量でスピーカから再生開始される。
【００３７】
このような頭出し動作によれば、頭出しの操作がされた場合、頭出し制御が完了するまでの間、それまで再生されていた曲を途切れることなく再生できる。従って、ディスクに傷が付いていたり、ディスクが偏心している等で頭出し制御が完了するまでに長い時間を要する場合でも、無音状態が長く続く状況を回避でき、ユーザにとって快適な状況を得ることができる。
【００３８】
また、頭出しの操作がされた場合、頭出し制御が完了するまでの間は通常音量より小さい音量でそれまでに再生されていた曲が再生されるので、頭出し制御が行われていることがユーザに分かり易くなる。
【００３９】
以上、本発明の実施形態について説明したが、本発明の趣旨の範囲内であれば、実施形態は種々変形が可能である。
【００４０】
例えば、上記説明したＣＤ再生装置２０は、ポータブルプレーヤや据置型コンポなどあらゆる用途に適用可能であるが、特に車両に設置する車載用とすると好適である。車両は振動が大きいため、頭出し制御が完了するまでに長い時間を要する場合があり、そのような場合でもユーザにとって快適な状況を得ることができるので有効である。
【００４１】
また、上記実施形態では、ＣＤ−ＤＡを再生可能なディスク再生装置で説明したが、これに限らず、例えばＭＰ３−ＤｉｓｃやＤＶＤ−Ａｕｄｉｏ（音楽用ＤＶＤ）を再生可能なディスク再生装置に本発明を適用してもよい。
【符号の説明】
【００４２】
１  光ピックアップ
２  スピンドルモータ
３  送り機構
４  ＲＦアンプ
５  サーボ回路
６  信号処理部
７  メモリ制御部
８  メモリ
９  Ｄ／Ａコンバータ
１０  アッテネータ
１１  マイクロコンピュータ
１２  表示部
１３  キー操作部
２０  ＣＤ再生装置
３０  ディスク
【図１】
2013120611.tif 000003
【図２】
2013120611.tif 000004